(57)【要約】      （修正有）【課題】洗濯する場を頻繁に移動させてかつ容易かつ簡単に設置できる移動式ランドリー車を含む貨物自動車を提供する。【解決手段】移動式ランドリー車１は、洗濯物を洗濯する１以上の洗濯機Ｒ１〜Ｒ６と、洗濯機を稼働させる稼働設備Ｄと、洗濯機と稼働設備とが収納され、稼働時には一部が開放され、移動時には当該一部が閉まるコンテナ１２と、を備える。また、移動式ランドリー車は、コンテナにおいて、一部が開放されると、洗濯者が洗濯機を操作するスペースが形成される。【選択図】図１
0003226759.tif 000002
【実用新案登録請求の範囲】
【請求項１】
洗濯物を洗濯する１以上の洗濯機と、
前記洗濯機を稼働させる稼働設備と、
前記洗濯機と前記稼働設備とが収納され、稼働時には一部が開放され、移動時には当該一部が閉まる収納部と、
を備える貨物自動車。
【請求項２】
前記稼働設備は、
前記洗濯機に水を供給する水供給装置と、
前記洗濯機を稼働させるためのエネルギーを供給するエネルギー供給装置と、
を含む請求項１に記載の貨物自動車。
【請求項３】
前記収納部において、
前記一部が開放されると、ユーザが前記洗濯機を操作するスペースが形成される、
請求項１又は２に記載の貨物自動車。
【請求項４】
前記収納部に収納される、前記洗濯物を乾燥させる１以上の乾燥機、
をさらに備え、
前記エネルギー供給装置は、
前記乾燥機を稼働させるためのエネルギーをさらに供給する、
請求項２に記載の貨物自動車。
【考案の詳細な説明】
【技術分野】
【０００１】
本考案は、貨物自動車に関する。
【背景技術】
【０００２】
従来より、日本国は自然災害が多いことから、被災者は、避難所等で避難所生活を余儀なくされる場合がある。
このような被災者にとって、被災地で避難所生活を続けるうえで、衣類等の洗濯が困難になる。
そこで、被災地等に移動可能なコンテナ型のコインランドリーが提案されている（例えば、特許文献１参照）。
【先行技術文献】
【特許文献】
【０００３】
【特許文献１】特開２０１９−１３８０４２号公報
【考案の概要】
【考案が解決しようとする課題】
【０００４】
しかしながら、洗濯する場が必要となる被災地は広範囲に及ぶことも多いことから、洗濯する場を頻繁に移動させてかつ容易かつ簡単に設置させたいという要望が多く挙げられているが、上述の特許文献１に記載の技術を含む従来技術ではこのような要望に応えられない状況である。
特許文献１に記載のコンテナ型のコインランドリーでは、移動時には牽引車に固定される必要があり、かつ、被災地で設置されるためには牽引車から離されてクレーンで運ばれる必要があるからである。
【０００５】
本考案は、このような状況を鑑みてなされたものであり、洗濯する場を頻繁に移動させてかつ容易かつ簡単に設置させることを目的とする。
【課題を解決するための手段】
【０００６】
上記目的を達成するため、本考案の一態様の貨物自動車は、
洗濯物を洗濯する１以上の洗濯機と、
前記洗濯機を稼働させる稼働設備と、
前記洗濯機と前記稼働設備とが収納され、稼働時には一部が開放され、移動時には当該一部が閉まる収納部と、
を備える。
【考案の効果】
【０００７】
本考案によれば、洗濯する場を頻繁に移動させてかつ容易かつ簡単に設置させることができる。
【図面の簡単な説明】
【０００８】
【図１】本考案の貨物自動車の一実施形態に係る移動式ランドリー車の構成を示す正面右側断面図である。
【図２】本考案の貨物自動車の一実施形態に係る移動式ランドリー車の構成を示す上側断面図である。
【図３】本考案の貨物自動車の一実施形態に係る移動式ランドリー車の構成を示す正面左側断面図である。
【図４】本考案の貨物自動車の一実施形態に係る移動式ランドリー車に収納される洗濯機の正面図である。
【図５】走行中の状態を示す移動式ランドリー車の正面右側面図である。
【図６】洗濯の場として配置された状態を示す移動式ランドリー車の正面右側面図である。
【図７】コンテナに備えられたサイドパネル及びウィングサイドパネルの夫々が開いた状態を示す移動式ランドリー車の裏面図である。
【考案を実施するための形態】
【０００９】
以下、本考案の実施形態について、図面を用いて説明する。
【００１０】
まず、本考案の貨物自動車の一実施形態に係る移動式ランドリー車の構成について図１乃至図３を用いて説明する。
図１は、本考案の貨物自動車の一実施形態に係る移動式ランドリー車の構成を示す正面右側断面図である。
図２は、本考案の貨物自動車の一実施形態に係る移動式ランドリー車の構成を示す上側断面図である。
図３は、本考案の貨物自動車の一実施形態に係る移動式ランドリー車の構成を示す正面左側断面図である。
図４は、本考案の貨物自動車の一実施形態に係る移動式ランドリー車に収納される洗濯機の正面図である。
【００１１】
図１乃至図３に示すように、移動式ランドリー車１は、牽引車１１と、コンテナ１２とを一体に備える貨物自動車である。
牽引車１１は、コンテナ１２を所定の場所に移動させるための車両である。
コンテナ１２は、内部に物を収納するための、所定の容積を有する直方体の形状の容器である。コンテナ１２には、後述する洗濯機Ｒ１等が予め固着されて収納されている。
【００１２】
ここで、図１乃至図７には、移動式ランドリー車１が配置される実空間を規定するために、ｘ軸、ｙ軸、ｚ軸の３軸が示されている。
ｘ軸とｙ軸で規定されるｘｙ平面のうち、ｚ＝０におけるｘｙ平面が、水平面とされている。ここでは説明の便宜上、移動式ランドリー車１が配置される地面は水平面に形成されているとする。
ｚ軸は、垂直方向の軸である。地面（水平面）からみて、上方向がｚ軸の正方向とされており、下方向が負方向とされている。ここで、移動式ランドリー車１は、走行を開始した場合の走行方向がｙ軸の負方向となるように、配置されている（各図に描画されている）ものとする。
コンテナ１２を形成する６つの面のうち、上方の視点から下方向にみえる面を「上面」と呼ぶ。上面と反対側の面、即ち地面と対向する面を「下面」と呼ぶ。また、コンテナ１２を形成する６つの面のうち上面と下面を除外した４つの面を「側面」と呼ぶ。「側面」のうち、牽引車１１に視点が配置された場合にｙ軸の正方向に見える面、即ち牽引車１１と対向する面を「正面」と呼ぶ。正面に対抗する面を「裏面」と呼ぶ。正面と裏面の夫々に略直角に配置される２つの側面のうち、正面の右側に配置される面を「正面右側面」と呼び、正面の左側に配置される面を「正面左側面」と呼ぶ。
【００１３】
コンテナ１２には、図１乃至図３に示すように、コンテナドアＰ１，Ｐ２と、サイドパネルＳ１，Ｓ２と、ウィングサイドパネルＷ１，Ｗ２が備えられている。
コンテナドアＰ１，Ｐ２の夫々は、コンテナ１２の裏面に備えられており、地面（水平面）に対して時計回り及び反時計回りに夫々回転するように開閉する。なお以下、コンテナドアＰ１，Ｐ２の夫々を個々に区別する必要がない場合、これらをまとめて「コンテナドアＰ」と呼ぶ。
サイドパネルＳ１，Ｓ２の夫々は、コンテナ１２の正面右側面及び正面左側面に備えられており、地面（水平面）からみてｚ軸の負方向に回転するように開閉する。また、サイドパネルＳ１，Ｓ２の夫々を個々に区別する必要がない場合、これらをまとめて「サイドパネルＳ」と呼ぶ。
ウィングサイドパネルＷ１，Ｗ２の夫々は、コンテナ１２の正面右側面及び正面左側面に備えられており、地面（水平面）からみてｚ軸の正方向に回転するように開閉する。また、ウィングサイドパネルＷ１，Ｗ２の夫々を個々に区別する必要がない場合、これらをまとめて「ウィングサイドパネルＷ」と呼ぶ。
【００１４】
コンテナ１２には、洗濯機Ｒ１乃至Ｒ６と、稼働設備Ｄとが収納されている。また、コンテナ１２には、ジャッキＪ１乃至Ｊ６が備えられている。
【００１５】
洗濯機Ｒ１乃至Ｒ６は、衣服、布団、靴等の洗濯物を洗濯する機能の他、本実施形態ではコンテナ１２内のスペースを有効活用すべく、洗濯物を乾燥する機能を有している。
洗濯機Ｒ１乃至Ｒ６の夫々は、図１及び図３に示すように、ｙ軸の正方向にその順でコンテナ１２内に固着されて収納されている。
なお、以下、洗濯機Ｒ１乃至Ｒ６の夫々を個々に区別する必要がない場合、これらをまとめて「洗濯機Ｒ」と呼ぶ。
洗濯機Ｒを形成する面のうち、洗濯をする者（以下、「洗濯者」と呼ぶ）が操作している際に対抗する面を「正面」と呼び、正面と反対側の面を「裏面」と呼ぶ。
洗濯機Ｒは、本実施形態では、その裏面がコンテナ１２の正面左側面と対向するように配置されている。
【００１６】
ここで、洗濯機Ｒの詳細について、図４を用いてさらに説明する。
図４は、本考案の貨物自動車の一実施形態に係る移動式ランドリー車に収納される洗濯機の正面図である。
洗濯機Ｒは、硬貨投入口５１と、ボタン５２と、ドアノブ５３と、洗濯槽５４とを備えている。
硬貨投入口５１は、洗濯機Ｒを稼働させるために、洗濯者により硬貨が投入される部位である。
ボタン５２は、洗濯する時間等を選択するためのコース（以下、「洗濯コース」と呼ぶ）を決定する際に洗濯者により押下操作される。即ち、洗濯機Ｒは、洗濯者によりボタン５２が押下操作されると、洗濯者により選択された洗濯コースを受け付けて、洗濯の動作を開始させる。
ドアノブ５３は、洗濯物を洗濯槽５４に、取り入れたり取り出したりするためのドアを洗濯者が開閉させるためのノブである。
洗濯槽５４は、洗濯物が収納される槽である。
【００１７】
次に、図１に戻り、このような洗濯機Ｒを稼働させるための稼働設備Ｄについて説明する。
稼働設備Ｄは、ガスボンベＣ１乃至Ｃ４と、貯水タンクＴ１乃至Ｔ１２と、供給電源Ｇと、を備えている。
【００１８】
ガスボンベＣ１乃至Ｃ４は、洗濯物を乾燥させるのに必要なＬＰガス等のガスを洗濯機Ｒに供給するためのボンベである。
【００１９】
貯水タンクＴ１乃至Ｔ１２は、洗濯物を洗濯するのに必要な水を洗濯機Ｒに供給するためのタンクである。
【００２０】
本実施形態では、図１乃至図３に示すように、貯水タンクＴ１乃至Ｔ１２は、ｚ軸の正方向の２段重ねで収納されている。そして、この貯水タンクＴ１乃至Ｔ１２の面のうち、コンテナ１２の正面左側面と対向するように、ガスボンベＣ１乃至Ｃ４が隣接して配置されている。
【００２１】
なお、以下、ガスボンベＣ１乃至Ｃ４の夫々を個々に区別する必要がない場合、これらをまとめて「ガスボンベＣ」と呼ぶ。また、以下、貯水タンクＴ１乃至Ｔ１２の夫々を個々に区別する必要がない場合、これらをまとめて「貯水タンクＴ」と呼ぶ。
【００２２】
供給電源Ｇは、例えば発電機等により構成され、洗濯機Ｒに対して電力を供給する。
【００２３】
ジャッキＪ１乃至Ｊ６は、被災地等で洗濯が行われる場合に移動式ランドリー車１（特にコンテナ２）を地面に対して固定するための部品である。
ジャッキＪ１乃至Ｊ６の夫々は、コンテナ１２を略均等な力で支持できるように、図１及び図３に示すように、ｙ軸の正方向に所定の距離だけ相互に離間して配置されている。
【００２４】
以上、移動式ランドリー車１の構成について説明した。
次に、移動式ランドリー車１の作用について図５及び図６を用いて説明する。
【００２５】
図５は、走行中の状態を示す移動式ランドリー車の正面右側面図である。
先ず、移動式ランドリー車１は、図５に示す状態、即ちコンテナドアＰとサイドパネルＳとウィングサイドパネルＷとが全て閉じられ、かつジャッキＪの全てがｚ軸の正方向に上げられた状態で、通常の貨物自動車と同様に走行して、被災地等の目的地まで移動する。
【００２６】
移動式ランドリー車１は、被災地等の目的地に到着すると、洗濯の場となるように図６に示すように配置される。
図６は、洗濯の場として配置された状態を示す移動式ランドリー車の正面右側面図である。
即ち、図６に示すように、ジャッキＪの全てはｚ軸の負方向に下げられて地面に対して固定されることで、移動式ランドリー車１が地面に固定される。
【００２７】
次に、洗濯者が洗濯機Ｒを操作できるように、図７に示すように、サイドパネルＳ及びウィングサイドパネルＷの夫々が開かれる。
図７は、コンテナに備えられたサイドパネル及びウィングサイドパネルの夫々が開いた状態を示す移動式ランドリー車の裏面図である。
【００２８】
ここで、サイドパネルＳは、開いた状態になると、水平面（地面）と平行となる。なお、図示しないが、サイドパネルＳがｚ軸の負方向に倒れないように、水平面（地面）と平行となるように、ｚ軸の正方向にサイドパネルＳを支える支持部を備えてもよい。
これにより、サイドパネルＳ１は、洗濯者が洗濯機Ｒの操作等するための利用スペースとなる。一方、サイドパネルＳ２は、移動式ランドリー車１を用いてランドリーのサービスを提供する側の者（以下、「提供者」と呼ぶ）が洗濯機Ｒの準備やメンテナンス等を行うための利用スペースとなる。
【００２９】
このようにして、ジャッキＪにより移動式ランドリー車１が地面に対して固定されて配置され、サイドパネルＳ及びウィングサイドパネルＷの夫々が開かれると、提供者は、洗濯機Ｒを稼働させる。
具体的に例えば、提供者は、洗濯機Ｒや稼働設備Ｄに対して、電源ケーブルや給水ホース等を接続する。提供者は、供給電源Ｇを操作して洗濯機Ｒに電力を供給させる。
これにより、移動式ランドリー車１は、いわゆるコインランドリーとして機能する。
【００３０】
そして、洗濯者は、移動式ランドリー車１を次のようにしてコインランドリーとして利用する。
具体的に例えば、洗濯者は、サイドパネルＳ１の上に乗り、利用スペースとして用いながら、洗濯機Ｒを操作して、洗濯物の洗濯を行う。
【００３１】
ここで、洗濯機Ｒと貯水タンクＴとの機能について説明する。
移動式ランドリー車１は、洗濯機Ｒ１乃至Ｒ６に対して、貯水タンクＴ１乃至Ｔ１２が備えられている。即ち、移動式ランドリー車１は、洗濯機Ｒ１台に対して貯水タンクＴが２台備えられている。
ここで、貯水タンクＴと洗濯機Ｒの機能について説明する。
貯水タンクＴ１は、洗濯物を洗濯するのに必要な水を洗濯機Ｒ１に供給するための貯水タンクＴである。そして、貯水タンクＴ２は、洗濯機Ｒ１に必要な水を供給するための予備の貯水タンクＴである。
具体的には例えば、貯水タンクＴ１は、洗濯機Ｒに水を供給し続ける。すると、貯水タンクＴ１に貯めた水がなくなるため、貯水タンクＴ２が洗濯機Ｒ１に必要な水を供給する。
その間、貯水タンクＴ１は、提供者により、水を供給されることで、貯水タンクＴ１には洗濯物を洗濯するのに必要な水が貯まる。そして、貯水タンクＴ２にある水がなくなった場合に、貯水タンクＴ１が洗濯物を洗濯するのに必要な水を洗濯機Ｒ１に供給する。そして、同様に、貯水タンクＴ２は、提供者により、水を供給されることで、貯水タンクＴ２には洗濯物を洗濯するのに必要な水が貯まる。
これにより、長時間かつ何度も繰り返し洗濯を行うことができるため、提供者は、ランドリーのサービスを多くの洗濯者に提供することができる。
【００３２】
以上説明したように、移動式ランドリー車１は、目的地までは通常の貨物自動車と同様に走行して移動し、目的地に到着すると簡単な操作により洗濯の場として設置され、いわゆるコインランドリーとして洗濯者に利用される。
【００３３】
ここで、本実施形態の移動式ランドリー車１は、牽引車１１とコンテナ１２とが一体となる構成を有している。これにより、移動式ランドリー車１は、目的地まで容易に移動し、容易かつ少ない工数の作業だけで、洗濯の場（いわゆるコインランドリー）として容易に稼働することができる。さらに、移動式ランドリー車１は、コインランドリーとして稼働を終えると、容易かつ少ない工数の作業だけで、次の目的地までは通常の貨物自動車と同様に走行して移動することができる。
このように、本実施形態の移動式ランドリー車１は、災害地等、広範囲にわたって、洗濯が必要な場所に容易に移動し、コインランドリーとして、稼働することができる。
【００３４】
また、洗濯者は、開かれた状態のサイドパネルＳ１を、洗濯機Ｒの操作等をするための利用スペースとして利用することができる。同様に、提供者は、開かれた状態のサイドパネルＳ２を、洗濯機Ｒを稼働させるための準備やメンテナンスをするための利用スペースとして利用することができる。
一方、移動式ランドリー車１が移動する際には、サイドパネルＳ１及びＳ２は何れも閉じられる。
このように、本実施形態の移動式ランドリー車１は、限られたスペースを有効活用できる。
【００３５】
また、洗濯機Ｒは、図３に示すように、その裏面がコンテナ１２の正面左側面と対向するように収納される。
この場合、提供者は、サイドパネルＳ２を利用スペースとして利用することで、洗濯機Ｒ等を移動させずに、電源ケーブルを接続する等、洗濯機Ｒを稼働させるための準備を容易にすることができる。
さらに、提供者は、サイドパネルＳ２を利用スペースとして利用することで、貯水タンクＴやガスボンベＣの交換等のメンテナンスを容易にすることができる。
さらに、提供者は、サイドパネルＳ２を利用スペースを利用することで、洗濯機Ｒの裏面から、洗濯者により投入された硬貨を回収することができる。
【００３６】
以上、本考案の一実施形態について説明したが、本考案は、上述の実施形態に限定されるものではなく、本考案の目的を達成できる範囲での変形、改良等は本考案に含まれるものである。
【００３７】
例えば、上述の実施形態において、洗濯機Ｒは、洗濯物を乾燥する乾燥機付きの洗濯機として説明したが、特にこれに限定されない。即ち、洗濯機Ｒは、乾燥機付きの洗濯機に限られない。
具体的に例えば、乾燥機は、洗濯機Ｒとは独立してコンテナ１２に収納されてもよい。
ただし、上述の実施形態のように乾燥機付きの洗濯機を洗濯機Ｒとして採用することで、洗濯の場としてのコンテナ１２を有効活用することができる。
【００３８】
また例えば、上述の実施形態において、コンテナ１２の中に洗濯機Ｒ１乃至Ｒ６がその順番にｙ軸の正方向に配置されて収納されている、と説明したが、特にこれに限定されない。即ち、洗濯機Ｒの個数は、６個に限られない。具体的に例えば、洗濯機Ｒは、コンテナ１２の大きさに合わせて、適宜、その個数が変更されてもよい。また、洗濯機Ｒの配置の仕方も、特にｙ軸の正方向に順番に並べられて配置されることに限定されず、任意でよい。
ただし、コンテナ１２として通常の貨物自動車で用いられているものが採用された場合、その容量やサイズは自ずと決まってくる。このような容量やサイズがおのずと決まるコンテナ１２のスペースを有効活用するためには、上述の実施形態のように洗濯機Ｒが配置されると好適である。
さらに、貯水タンクＴ、ガスボンベＣ、又は供給電源Ｇの個数も、コンテナ１２の大きさに合わせて適宜個数を変更してもよい。
これにより、移動式ランドリー車１は、洗濯機Ｒ等の個数に応じて、コンテナ１２の大きさを変えてもよく、予め大きさが決まっているコンテナ１２を利用して、そのコンテナ１２に合わせて、洗濯機Ｒの個数を変更することもできる。
【００３９】
また例えば、上述の実施形態において、コンテナ１２の中に洗濯機Ｒ１乃至Ｒ６がその順番にｙ軸の正方向に配置されて収納されている、と説明したが、特にこれに限定されない。即ち、洗濯機Ｒの配置は、図１乃至図３に限られない。
具体的に例えば、コンテナ１２の正面右側面を裏面に、コンテナ１２の正面左側面を正面にして、配置されてもよい。
これにより、コンテナ１２内を自由にレイアウトできるため、スペースを拡大したり、洗濯機Ｒをより多く収納したりすることで、コンテナ１２内のスペースをより有効活用することもできる。
なお、貯水タンクＴ、ガスボンベＣ、又は供給電源Ｇについても同様である。
【００４０】
また例えば、上述の実施形態において、洗濯機Ｒは、硬貨投入口５１が備えられている、と説明したが、特にこれに限定されない。即ち、洗濯機Ｒは、硬貨投入口５１が備えていなくてもよい。
具体的に例えば、洗濯機Ｒには、硬貨投入口５１の代わりに、ＱＲコード（登録商標）を読み取る装置が備えられていたり、携帯端末等を用いたＱＲ決済、電子マネーが記録されたＩＣカード等を利用する形態を採用してもよい。
【００４１】
また例えば、上述の実施形態において、貯水タンクＴは、洗濯するのに必要な水を洗濯機Ｒに供給するためのタンクである、と説明したが、特にこれに限定されない。即ち、貯水タンクＴは、給水するためのタンクに限られない。
具体的に例えば、貯水タンクＴは、洗濯した後の汚水を貯めるタンクとしても使用してもよい。貯水タンクＴ１から貯水タンクＴ１２の順に水を洗濯機Ｒに供給し、洗濯した後の汚水を洗濯機Ｒから、貯水タンクＴ１から貯水タンクＴ１２の順に汚水を貯めていくようにしてもよい。これにより、移動式ランドリー車１は、貯水タンクＴに貯めた汚水を、下水処理施設に運び、そこで、汚水を処理することができる。
【００４２】
また例えば、上述の実施形態において、移動式ランドリー車１は、牽引車１１と、コンテナ１２とを一体に備える貨物自動車である、と説明したが、特にこれに限定されない。即ち、移動式ランドリー車１は、牽引車１１とコンテナ１２とを一体に備える貨物自動車でなくともよい。
具体的に例えば、移動式ランドリー車１は、１台の牽引車１１に対して、複数のコンテナ１２を有していてもよい。
【００４３】
また例えば、上述の実施形態において、サイドパネルＳ１は、洗濯者が洗濯機Ｒの操作等するための利用スペースとなる、と説明したが、特にこれに限定されない。即ち、洗濯者が洗濯機Ｒの操作等するための利用スペースとして利用しなくてもよい。
具体的に例えば、移動式ランドリー車１は、サイドパネルＳ及びウィングサイドパネルＷを開くことなく、コインランドリーとして稼働することもできる。この場合、移動式ランドリー車１は、コンテナドアＰ１，Ｐ２を洗濯者が利用する際の、出入り口とすることもできる。これにより、移動式ランドリー車１は、サイドパネルＳ及びウィングサイドパネルＷを開く必要がないため、ビルとビルの隙間等の狭いスペースに停車しても、コインランドリーとして稼働できる。
【００４４】
また例えば、上述の実施形態において、コンテナ１２には、洗濯機Ｒと、稼働設備Ｄとが収納されている、と説明したが、特にこれに限定されない。即ち、コンテナ１２には、洗濯機Ｒと、稼働設備Ｄ以外の設備も収納されてもよい。
具体的に例えば、コンテナ１２には、紙幣の両替等を行う集中精算機や、布団や衣服等を圧縮する圧縮パック機等が収納されてもよい。
【００４５】
また例えば、上述の実施形態において、移動式ランドリー車１は、走行中では、ジャッキＪがｚ軸の正方向に上げられ、洗濯の場として配置された状態では、ジャッキＪがｚ軸の負方向に下げられる、と説明したが、特にこれに限定されない。
即ち、移動式ランドリー車１に備えられたジャッキＪは、上げ下げができるのみに限られない。
具体的には例えば、ジャッキＪは、移動式ランドリー車１に取り付け取り外しが可能な着脱式としてもよい。
【００４６】
以上まとめると、本考案が適用される貨物自動車（例えば図１乃至図３の移動式ランドリー車１）は、次のような構成を取れば足り、各種各様な実施形態を取ることができる。
即ち、本考案が適用される貨物自動車（例えば図１乃至図３の移動式ランドリー車１）は、
洗濯物を洗濯する１以上の洗濯機（例えば図１乃至図３の洗濯機Ｒ）と、
前記洗濯機を稼働させる稼働設備（例えば図１乃至図３の稼働設備Ｄ）と、
前記洗濯機と前記稼働設備とが収納され、稼働時には一部が開放され、移動時には当該一部が閉まる収納部（例えば図１乃至図３のコンテナ１２）と、
を備えることができる。
これにより、洗濯する場を頻繁に移動させてかつ容易かつ簡単に設置させることができる。
【００４７】
また、前記稼働設備は、
前記洗濯機に水を供給する水供給装置（例えば図１乃至図３の貯水タンクＴ）と、
前記洗濯機を稼働させるためのエネルギーを供給するエネルギー供給装置（例えば図１乃至図３の供給電源Ｇ）と、
を含むことができる。
これにより、移動式ランドリー車１は、自立して、洗濯機を稼働させることができる。
【００４８】
また、前記収納部において、
前記一部が開放されると、ユーザが前記洗濯機を操作するスペース（例えば図７のサイドパネルＳ）が形成される。
これにより、移動式ランドリー車１は、洗濯者が洗濯機Ｒの操作等するための利用スペースを形成することができる。
【００４９】
また、前記収納部に収納される、前記洗濯物を乾燥させる１以上の乾燥機（例えば図１乃至図３の洗濯機Ｒ）、
をさらに備え、
前記エネルギー供給装置（例えば図１乃至図３の供給電源ＧとガスボンベＣ）は、
前記乾燥機を稼働させるためのエネルギー（例えば電気、ガス）をさらに供給することができる。
これにより、移動式ランドリー車１は、洗濯物を乾燥させる乾燥機を備え、さらに、乾燥機に、洗濯物を乾燥させるためのガスや、乾燥機を稼働させるための電源を供給することができる。
【符号の説明】
【００５０】
１・・・移動式ランドリー車、１１・・・牽引車、１２・・・コンテナ、５１・・・硬貨投入口、５２・・・ボタン、５３・・・ドアノブ、５４・・・洗濯槽、Ｃ・・・ガスボンベ、Ｄ・・・稼働設備、Ｇ・・・供給電源、Ｊ・・・ジャッキ、Ｐ・・・コンテナドア、Ｒ・・・洗濯機、Ｓ・・・サイドパネル、Ｔ・・・貯水タンク、Ｗ・・・ウィングサイドパネル
【図１】
0003226759.tif 000003
【図２】
0003226759.tif 000004
【図３】
0003226759.tif 000005
【図４】
0003226759.tif 000006
【図５】
0003226759.tif 000007
【図６】
0003226759.tif 000008
【図７】
0003226759.tif 000009